(57)【要約】【課題】プランジャとシリンダの磨耗による性能低下を防ぐこと。【解決手段】円筒状の空間を有するシリンダ室と、前記シリンダ室に吸入経路及び吐出経路を介しそれぞれ連通している吸入口及び吐出口と、を有するシリンダと、前記シリンダ室に対して進退しながら回転する円柱状の軸部を有するプランジャと、を有し、前記プランジャの回転により前記吸入口及び前記吐出口を交互に前記シリンダ室に連通させるためのカット部が、前記軸部の先端部外周に形成されており、前記軸部の先端の周囲と前記カット部の周囲とは、曲面で形成されていることにより、プランジャとシリンダの磨耗を低減させることができる。【選択図】図２
2012031805.tif 000002
【特許請求の範囲】
【請求項１】
円筒状の空間を有するシリンダ室と、前記シリンダ室に吸入経路及び吐出経路を介しそれぞれ連通している吸入口及び吐出口と、を有するシリンダと、
前記シリンダ室に対して進退しながら回転する円柱状の軸部を有するプランジャと、
を有し、
前記プランジャの回転により前記吸入口及び前記吐出口を交互に前記シリンダ室に連通させるためのカット部が、前記軸部の先端部外周に形成されており、
前記軸部の先端の周囲と前記カット部の周囲とは、曲面で形成されている、
プランジャポンプ。
【請求項２】
請求項１に記載のプランジャポンプと、
燃料ガスと酸化剤ガスとを電気化学反応させて発電を行う燃料電池と、
前記燃料電池に燃料ガスを供給する改質器と、
前記改質器に供給する水を貯める水タンクと、
を有し、前記プランジャポンプは、前記水タンクの水を前記改質器に供給する、
燃料電池システム。
【発明の詳細な説明】
【技術分野】
【０００１】
本発明は、シリンダ内のプランジャを回転させながら往復動させ、吸込口と吐出口を交互にシリンダ室に連通させることにより液体の移送を行うプランジャポンプと、上記プランジャポンプを有している燃料電池発電システムと、に関するものである。
【背景技術】
【０００２】
高効率な小規模発電が可能である燃料電池発電システムは、発電の際に発生する熱エネルギーを利用するためのシステムの構築が容易であるため、高いエネルギー利用効率を実現可能な分散型の発電システムとして開発が進められている。
【０００３】
燃料電池発電システムは、その発電部の本体として、燃料電池を備えている。この燃料電池の発電のための燃料は、通常、水素（水素ガス）が用いられる。燃料となる水素は、改質器において天然ガス等が改質されて生成される。
【０００４】
上記の改質反応は一般的に水蒸気改質反応である。この水蒸気改質反応において、化石燃料が水蒸気と反応して改質されることにより、化石燃料から燃料ガス（水素）が生成される。したがって、燃料電池発電システムが発電を行い水素が消費されているとき、消費される水素を改質器で生成するために、水蒸気を発生させるための水が改質器に供給される。つまり、燃料電池発電システムが所定の電力を発電するためには、発電量に合わせて改質器への水の供給を精密に制御する必要がある。改質器への精密な水の供給のために、プランジャポンプが用いられていた（例えば特許文献１参照）。
【０００５】
また、プランジャポンプは、耐久性があり改質水への成分溶出が無いセラミック製のシリンダとプランジャによって構成されている（例えば特許文献２参照）。
【０００６】
従来のプランジャポンプは、シリンダの先端部に相対向してシリンダ室につながるバルブレスの吸入口と吐出口が設けられ、先端部外周にカット部が形成されたプランジャ１０１をシリンダ内を回転させながら往復動させて吸入口及び吐出口を交互にシリンダ室に連通させることにより、流体の移送を行う構成になっている。
【先行技術文献】
【特許文献】
【０００７】
【特許文献１】特開２００５−２７６５４４号公報
【特許文献２】特開２０１０−４３６１８号公報
【発明の概要】
【発明が解決しようとする課題】
【０００８】
上記構成においてはシリンダとプランジャの間は回転および往復運動を行うための数十ミクロンの隙間があり、プランジャがシリンダに対してこの隙間の範囲で傾くとシリンダとプランジャの間で偏った局部的な磨耗が発生する。
【０００９】
特に、従来のプランジャポンプにおいて、プランジャの先端の周囲とカット部の周囲のエッジとがシリンダ（図示せず）の内面に接触すると接触圧が上昇し、プランジャがシリンダ内面を引っかくようにシリンダ内を回転運動と往復運動とを行うことになる。
【００１０】
上記従来技術のプランジャポンプは、これによって、シリンダ内面の平滑度は低下し、
ポンプの吐出性能が悪化するという課題を有していた。
【００１１】
また、上記従来技術のプランジャポンプは、シリンダとプランジャの摩擦によって生じ磨耗粉が生じ、この磨耗粉がシリンダとプランジャの隙間に咬みこむと、ポンプの動作停止が引き起こる、という課題を有していた。
【００１２】
本発明は、上記従来技術の有する課題に鑑みてなされたものであり、プランジャとシリンダの磨耗による性能低下を防ぐことを目的とする。
【課題を解決するための手段】
【００１３】
この発明に係るプランジャポンプは、シリンダ先端部に相対向してシリンダ室につながるバルブレスの吸込口と吐出口が設けシリンダ室に対して進退しながら回転動作する円柱状の軸部を有するプランジャとを有し、軸部は、先端部外周に、前記プランジャの回転動作により前記吸入口及び前記吐出口を交互に前記シリンダ室に連通させるためのカット部を有し、前記軸部の先端の周囲と前記カット部の周囲とは、曲面で形成されている。
【００１４】
これにより、エッジでシリンダ内面を引っかくことが抑制され、シリンダとプランジャとの磨耗を低減させ、円滑な往復運動と回転運動が実現でき、ポンプ寿命を長くすることができる。
【発明の効果】
【００１５】
本発明のプランジャポンプは、シリンダとプランジャとの磨耗を低減させ、吐出量の低下を抑制することができ、長寿命で信頼性が高いプランジャポンプを得ることができる。
【図面の簡単な説明】
【００１６】
【図１】本発明の実施の形態１におけるプランジャポンプ断面図
【図２】（ａ）本発明の実施の形態１におけるプランジャポンプのプランジャ斜視図、（ｂ）（ａ）のプランジャポンプのＸ軸の直角方向の断面図
【図３】本発明の実施の形態１における燃料電池システムの構成を示すブロック図
【図４】従来例のプランジャポンプのプランジャ斜視図
【発明を実施するための形態】
【００１７】
以下、本発明の実施の形態について、図面を参照しながら説明する。なお、本実施の形態によって本発明が限定されるものではない。
【００１８】
（実施の形態１）
先ず、本発明の実施の形態に係るプランジャポンプの構成について、図面を参照しながら詳細に説明する。図１は本発明の第１の実施形態におけるプランジャポンプ断面図を示すものである。図２（ａ）本発明の実施の形態１におけるプランジャポンプのプランジャ斜視図、図２（ｂ）は図２（ａ）のプランジャポンプのＸ軸の直角方向の断面図である。図３は本発明の第２の実施形態における燃料電池システムの構成を示すブロック図である。
【００１９】
図１〜図３において、燃料電池システム１１は、天然ガス等の化石燃料の原料ガス１７と不純物が除去された改質水１８から水素リッチな燃料ガス１２を生成する改質器１５と、燃料ガス１２と酸化剤ガス１３を用いて発電を行う燃料電池１４と、改質水１８を貯水する水タンク１６と、この水タンク１６に蓄えられた改質水１８を改質器１５へ送出するプランジャポンプ１０と、を有している。
【００２０】
プランジャポンプ１０は、シリンダ４とプランジャ６とを有している。シリンダ４は、
円筒状の空間を有するセラミック製のシリンダ室１と、シリンダ室に吸入経路２１及び吐出経路２２を介しそれぞれ連通している吸入口２及び吐出口３と、を有している。プランジャ６は、シリンダ室に対して進退しながら回転する円柱状でセラミック製の軸部５を有している。また、プランジャ６の回転により吸入口２及び吐出口３を交互にシリンダ室１に連通させるためのカット部８が、軸部５の先端部外周に形成されている。カット部８は、軸部５の先端を軸部５の中心軸と平行にカットするとともに、軸部５の中心軸と垂直にカットされて、形成される。軸部５の先端の周囲７とカット部８の周囲９とは、全ての角部が曲面で形成されている。よって、プランジャ６の先端部から、エッジを有する角部は存在しなくなる。
【００２１】
以上のように構成されたプランジャポンプ１０とそれを搭載した燃料電池システム１１について、以下その動作と作用を説明する。
【００２２】
おおよそ燃料電池システム１１の発電量は３００Ｗから１０００Ｗの間で運転され、家庭などの需要家の電力の需要に応じて制御され、燃料電池システム１１は約１０年間ほど運転される。さらに燃料電池システム１１の発電量に応じて燃料ガス１２の供給量が制御され、その燃料ガス１２の供給量に応じて改質器１５へ供給される改質水１８の量は１０ｍＬ／分程度の少量が安定して供給されなければならない。
【００２３】
また燃料ガス１２は純度の高い水素ガスが必要とされるため、燃料ガス１２の水素純度を低下させる成分がプランジャポンプ１０を含む改質水１８の経路から溶出することを、避けなければならない。このためシリンダ４とプランジャ６の摺動面に潤滑油等を使用することはできず、セラミック製の内面を持つシリンダ４とプランジャ６とは、表面がきわめて平滑に仕上げられており、シリンダ４とプランジャ６との間の空間は数ミクロンになるように形成されている。プランジャポンプ１０はシリンダ４の先端部の相対向してシリンダ室１につながる吸入口２および吐出口３に対し、プランジャ６が回転しながら進退運動をする。プランジャ６の軸部５の先端部にあるカット部８が吸入口２と吐出口３とをシリンダ室１と交互に連通することになり改質水１８の吸い込み、吐き出しが交互に行われる。
【００２４】
本実施の形態のプランジャ６の軸部５の先端の周囲７とカット部の周囲９とは、鋭利なエッジではなく曲面で形成されているので、シリンダ４の中心軸とプランジャ６の回転軸の不一致によって生じる相互の接触圧力は分散され、接触圧を低減することができる。
【００２５】
このような構成において、安定して原料ガス１７と改質水１８が改質器１５に導かれ、水素リッチな燃料ガス１２が生成され、この燃料ガス１２と酸化剤ガス１３により燃料電池１４で発電が安定的に行われる。
【００２６】
この実施の形態のプランジャポンプ１０によると、プランジャ６の軸部５でシリンダ内面を傷つけて磨耗することが抑制され、円滑な往復運動と回転運動が実現することができ、ポンプ寿命が長くすることができる。したがって、上記プランジャポンプを搭載した燃料電池システムは水素ガスの精製を安定的に維持し、長期間にわたって運転を継続することが出来る。
【産業上の利用可能性】
【００２７】
本発明のプランジャポンプによれば、プランジャとシリンダの磨耗を低減し長寿命で信頼性を高くすることができる。そのため本発明のプランジャポンプは、燃料電池システムなどに好適に適用することができる。
【符号の説明】
【００２８】
１  シリンダ室
２  吸入口
３  吐出口
４  シリンダ
５  軸部
６  プランジャ
７  軸部の先端の周囲
８  カット部
９  カット部の周囲
１０  プランジャポンプ
１１  燃料電池システム
１２  燃料ガス
１３  酸化剤ガス
１４  燃料電池
１５  改質器
１６  水タンク
２１  吸入経路
２２  吐出経路
【図１】
2012031805.tif 000003
【図２】
2012031805.tif 000004
【図３】
2012031805.tif 000005
【図４】
2012031805.tif 000006